(57)【要約】【課題】  デジタルテレビのマルチウィンドウ表示のレイアウトの自動化を計ると共に、視聴番組に対する、豊富な情報を、マルチウィンドウの特徴と視聴履歴を元に提示する。【解決手段】  視聴者の過去の視聴履歴と入力データを元に主画面ウィンドウに表示される番組ストリームのビデオ動画に関連するＳＩ（サービスインフォメーション）に含まれる番組情報を元に記憶装置に蓄積されている過去の番組の番組情報を検索し、番組ストリームが保持されている場合には子画面ウィンドウの一つとして蓄積されている過去の番組ストリームのビデオ動画を表示し、さらに過去の番組情報を文字表示の形で番組のビデオ動画上にスーパーインポーズ表示する。【選択図】        図１
2006180045.tif 000002
【特許請求の範囲】
【請求項１】
主画面ウィンドウに表示される番組ストリームのビデオ動画に関連するＳＩ（サービスインフォメーション）に含まれる番組情報を元に記憶装置に蓄積されている過去の番組の番組情報を検索し、
視聴中の番組の過去の番組情報が保存されており、かつ過去の番組の番組ストリームが保存されている場合には、子画面ウィンドウの一つとして蓄積されている過去の番組ストリームのビデオ動画を表示し、さらに過去の番組情報を文字表示の形で番組のビデオ動画上にスーパーインポーズ表示することを特徴とするテレビ受信機。
【請求項２】
前記検索の結果、視聴中の番組の過去の番組情報が保存されており、蓄積されている番組ストリームが無く、番組情報のみの場合には、前記過去の番組の情報を子画面ウィンドウに文字表示することを特徴とする請求項１記載のテレビ受信機。
【請求項３】
前記主画面ウィンドウに表示される番組ストリームのビデオ動画の種類は視聴者の過去の視聴履歴と、視聴者自身の入力データにより選ばれており、第一優先の主画面ウィンドウと子画面ウィンドウの組み合わせ以外に、視聴履歴と、視聴者自身の入力データより第一優先の主画面ウィンドウの番組情報に関連性が有ると見なされる次の優先順位の主画面ウィンドウと子画面ウィンドウの組み合わせも表示され、マルチウィンドウ表示を構成することを特徴とする請求項１記載のテレビ受信機。
【請求項４】
前記第一優先の主画面ウィンドウに対し過去の番組情報の参照画面である子画面ウィンドウは、前記主画面の視聴を妨げることの無いように主画面の中では無く近傍に別のウィンドウとして表示されることを特徴とする請求項３記載のテレビ受信機。
【請求項５】
前記第一優先の主画面ウィンドウと子画面ウィンドウ、第二優先の主画面ウィンドウと子画面ウィンドウともに主画面ウィンドウに表示する番組ストリームのビデオ動画のソースは、視聴者が機器の電源を入れた時間と実際の放送時間の関係で決まることを特徴とする請求項４記載のテレビ受信機。
【発明の詳細な説明】
【技術分野】
【０００１】
本発明は表示装置である処の、テレビ受信機に関する。
【背景技術】
【０００２】
従来、ＢＳデジタル放送、或いは、地上波デジタル放送を受信して表示するテレビ受信機が知られている（例えば、特許文献１参照）。また、この種のテレビ受信機のうち、受信したテレビ放送のデータをＨＤＤなどの記録媒体に記録しておき、後で再生して視聴するものも提案されている。また、テレビ放送受信機では、電子番組表（ＥＰＧ）を用いた視聴予約、録画予約機能が一般に用いられており、この様な予約録画機能として、連続ドラマなどの毎週決められた時間に放送する番組を自動で録画する繰り返し予約機能を持つものも知られている。
【特許文献１】特開２００１−１３６４５４号公報
【発明の開示】
【発明が解決しようとする課題】
【０００３】
前述のように、ＨＤＤなどに受信したテレビ番組のデータを記録しておき、後で再生して視聴する場合、ユーザは視聴したい番組を検索して再生する。しかしながら、繰り返し予約により録画した連続ドラマなどを続けて視聴したい場合などにおいても、ユーザはその都度検索して再生しなくてはならず、使い勝手が悪かった。
【０００４】
本発明は上述の問題点に着目してなされたものであって、デジタルテレビのマルチウィンドウ表示のレイアウトの自動化を計ると共に、視聴番組に対する、豊富な情報を、マルチウィンドウの特徴と視聴履歴を元に提示することのできるテレビ受信機を提供することを目的とする。
【課題を解決するための手段】
【０００５】
本発明は上述の目的を達成するために、テレビ受信機を次に示すとおりの構成とする。
【０００６】
主画面ウィンドウに表示される番組ストリームのビデオ動画に関連するＳＩ（サービスインフォメーション）に含まれる番組情報を元に記憶装置に蓄積されている過去の番組の番組情報を検索し、視聴中の番組の過去の番組情報が保存されており、かつ過去の番組の番組ストリームが保存されている場合には、子画面ウィンドウの一つとして蓄積されている過去の番組ストリームのビデオ動画を表示し、さらに過去の番組情報を文字表示の形で番組のビデオ動画上にスーパーインポーズ表示することを特徴とする。
【発明の効果】
【０００７】
本発明によれば、視聴中の番組に関連した番組を視聴することができる。
【発明を実施するための最良の形態】
【０００８】
図１は本発明が適用される録画機能を持つテレビ受信機の構成を示す図である。
【０００９】
図１において、１は大画面高精細表示装置、ウィンドウ表示画面２〜７は各番組のビデオ動画像および番組情報を表示しているマルチウィンドウ表示画面、９は必要に応じて各種グラフィック情報や操作ボタンなどを表示するグラフィックユーザーインターフェース表示画面ウィンドウ、１０はデジタルテレビ番組の復号化ビデオ動画を番組動画ウィンドウ表示位置に合わせてビデオメモリ部１２より読み出しビデオ動画ウィンドウ画面を形成し、さらにグラフィックメモリ部１１の内容を番組情報表示位置やグラフィックユーザーインターフェース表示位置に合わせて読み出すマルチウィンドウビデオプロセッシング制御部（マルチウィンドウビデオプロセッサ部）、１１は番組情報グラフィックやグラフィックユーザーインターフェースに表示される内容を保持しているグラフィックメモリ部、１２はマルチストリームＭＰＥＧ２ビデオデコード処理及びプロセッサ部が利用するビデオメモリ部、１３はグラフィックメモリ部１１上の各種グラフィック画像の作成、マルチストリームＭＰＥＧ２ビデオデコード処理プロセッサ部の制御入出力制御部を経由したデジタルテレビフロントエンドやデジタルシリアルバス、各種ストレージの制御を行うマイクロコンピュータ部、１４は複数のＭＰＥＧ２トランスポートストリームの同時デコードを行うマルチストリームＭＰＥＧ２ビデオデコード処理プロセッサ部、１５はチューナー、デジタルシリアルバス、ＤＶＤＲＯＭ  ＨＤＤなどが接続されマイクロコンピュータの制御下で動作する入出力制御部、１６はデジタルテレビのＭＰＥＧ２トランスポートストリームの番組ストリームと番組に関連した番組情報及びマイクロコンピュータ部のプログラムなどが記録されるＨＤＤ、１７はマイクロコンピュータ部のプログラムやＭＰＥＧ２ビデオソースを読み取るＤＶＤＲＯＭドライブ、１８はデジタルＶＣＲやその他の周辺機器が接続されるデジタルシリアルバス、１９はデジタルＴＶの放送電波を受信し復調しＭＰＥＧ２トランスポートストリームとして出力するデジタルテレビフロントエンド部である。図１では視聴番組の放送時間帯が重なりさらに番組ストリームが別のキャリア周波数にある場合に備え本実施例では２つのフロントエンドを用意している。
【００１０】
マイクロコンピュータ部１３はＨＤＤ１６もしくはデジタルテレビフロントエンド部１９からの主画面番組ストリームを入出力制御部１５経由でマルチストリームＭＰＥＧ２ビデオデコード処理プロセッサ部１４に転送する。
【００１１】
マルチストリームＭＰＥＧ２ビデオデコード処理プロセッサ部１４はマイクロコンピュータ部１３の制御下で転送された番組のＭＰＥＧ２トランスポートストリームをビデオメモリ部１２の非表示領域に一時保持する。
【００１２】
マイクロコンピュータ部１３はマルチストリームＭＰＥＧ２ビデオデコード処理プロセッサ部１４に主画面番組ストリームの大画面高精細表示装置１上の表示位置に関連した、ビデオメモリ部１２の表示領域における、矩形領域を設定する。
【００１３】
マルチストリームＭＰＥＧ２ビデオデコード処理プロセッサ部１４は番組ストリームをデコードし復号化されたビデオ動画としてビデオメモリ部１２の表示領域の定められた矩形領域に転送する。
【００１４】
主画面ウィンドウの大きさと位置情報は視聴者の過去の視聴履歴と、視聴者自身の入力データにより選ばれ、ＨＤＤ１６及びマイクロコンピュータ部１３内臓の不揮発性メモリに記憶されている。マルチウィンドウビデオプロセッシング制御部１０は大画面高精細表示装置１のリフレッシュ動作の中で主画面番組動画表示ウィンドウ表示位置に差し掛かると、ＭＰＥＧ２マルチストリームビデオメモリ部１２の、主画面番組の復号化ビデオ動画が転送された矩形領域から復号化ビデオ動画を読み出し表示する。
【００１５】
表示の際に、マルチウィンドウビデオプロセッサ部１０はビデオメモリ部１２の表示領域の矩形領域の大きさと大画面高精細表示装置１の動画表示ウィンドウの画素数の関係を元にビデオメモリ部１２からビデオ画像を読み取った後拡大処理を行う。縮小処理については、マルチストリームＭＰＥＧ２ビデオデコード処理プロセッサ部１４が番組ストリームをデコードし復号化されたビデオ動画を作成する際に処理を行い縮小された画像をビデオメモリ部１２の表示領域の定められた領域に転送する。
【００１６】
同時に主画面番組ストリームのビデオ動画に関連したサービスインフォメーション（ＳＩ）に含まれる番組情報を含むデータは、マルチストリームＭＰＥＧ２ビデオデコード処理プロセッサ部１４からマイクロコンピュータ部１３に送られる。
【００１７】
マイクロコンピュータ部１３はこの番組情報を含むデータから主画面番組ストリームに関連する番組情報を取り出す処理を行う。その後、ＨＤＤ１６内部に蓄積されている過去の番組の番組情報を検索し、視聴中の番組の過去の番組情報が保存されており、かつ過去の番組の番組ストリームが保存されている場合にはマルチストリームＭＰＥＧ２ビデオデコード処理プロセッサ部１４は過去の番組ストリームをデコードし復号化されたビデオ動画として再度ＭＰＥＧ２マルチストリームビデオメモリ部１２の表示領域の定められた矩形領域に転送する。
【００１８】
主画面番組ウィンドウに対し過去の番組情報の参照画面である子画面ウィンドウの表示位置は、主画面の視聴を妨げる事の無い様に主画面の中では無く近傍に別のウィンドウとして取られる。
【００１９】
マルチウィンドウビデオプロセッサ部１０は大画面高精細表示装置１のリフレッシュ動作の中で過去の番組の動画像表示ウィンドウ位置に差し掛かると、ビデオメモリ部１２の、過去の番組の復号化ビデオ動画が収められる領域から復号化ビデオ動画を読み出し表示する。
【００２０】
番組テーマと番組情報はマイクロコンピュータ部１３によりグラフィックの画素データとしてグラフィックメモリ部１１上に構成される。構成されたグラフィック情報は大画面高精細表示装置１のリフレッシュ動作が過去の番組情報を表示する子画面の表示位置に達すると復号化ビデオ動画と同様にしてマルチウィンドウビデオプロセッサ部１０により読み出され、過去の番組の動画表示と共に文字情報としてマルチウィンドウビデオプロセッサ部１０により動画表示にスーパーインポーズ合成表示される。
【００２１】
記憶装置に蓄積されている過去の番組の番組情報を検索し、視聴中の番組の過去の番組情報が保存されており、蓄積されている番組ストリームが無く、番組情報のみの場合には、過去の番組の文字情報が子画面ウィンドウに相当する位置にマルチウィンドウビデオプロセッサ部１０により背景画像にスーパーインポーズ合成表示される。
【００２２】
視聴履歴と、視聴者自身の入力データより第一優先の主画面ウィンドウの番組情報に関連性が有ると見なされる。第二優先の主画面ウィンドウと子画面ウィンドウの表示位置関係も第一優先の主画面ウィンドウと子画面ウィンドウ同様の配置が取られるが、第一優先の主画面ウィンドウと子画面ウィンドウの位置関係が優先され、かつ第二優先の子画面ウィンドウは画面上の空きスペースに、第二優先の主画面ウィンドウに対し画面の中では無く近傍に別のウィンドウとして取られる。
【図面の簡単な説明】
【００２３】
【図１】本発明が適用されるテレビ受信機を示す図である。
【符号の説明】
【００２４】
１  大画面高精細表示装置
２〜７  ウィンドウ表示画面
９  グラフィックユーザーインターフェース表示画面ウィンドウ
１０  マルチウィンドウビデオプロセッシング制御部（マルチウィンドウビデオプロセッサ部）
１１  グラフィックメモリ部
１２  ビデオメモリ部
１３  マイクロコンピュータ部
１４  マルチストリームＭＰＥＧ２ビデオデコード処理プロセッサ部
１５  入出力制御部
１６  ＨＤＤ
１７  ＤＶＤＲＯＭドライブ
１８  デジタルシリアルバス
１９  デジタルテレビフロントエンド部
【図１】
2006180045.tif 000003